(57)【要約】【課題】使用者がミラーキャビネットの三面鏡を使用する際に、作業の種類に合わせて適切な照度を安価で容易に得ることができるミラーキャビネットを提供する。【解決手段】ミラーキャビネット２１はキャビネット本体２２の前面に三面鏡２３を備え、この三面鏡２３は一対のサイドミラー２３ａと中央ミラー２３ｂで形成される。一対のサイドミラー２３ａと中央ミラー２３ｂ間にそれぞれ照明部３０が設けられ、照明部３０の高さはサイドミラー２３ａおよび中央ミラー２３ｂと略同じ高さで形成される。ここで、照明の強弱を調整する調光用ボリューム３１をミラーキャビネット２１に向かって右側の照明部３０の下方に備える。調光用ボリューム３１は照明部３０に内蔵されるので外から目視できないが、外部に調光用ボリューム３１を連動して左右回転する操作摘み３２と左右回転位置を表示する目盛り３３とが形成される。【選択図】図１
2009028254.tif 000002
【特許請求の範囲】
【請求項１】
キャビネット本体の前面に三面鏡を備えるミラーキャビネットであって、この三面鏡の一対のサイドミラーと中央ミラーに対応してそれぞれサイド収納部と中央収納部がキャビネット本体に形成され、
前記一対のサイドミラーと中央ミラー間にそれぞれ照明部が形成され、照明の強弱を調整する調光用ボリュームを備えることを特徴とするミラーキャビネット。
【請求項２】
請求項１に記載のミラーキャビネットであって、前記調光用ボリュームはどちらか一方の前記照明部に設けることを特徴とするミラーキャビネット。
【発明の詳細な説明】
【技術分野】
【０００１】
本発明は、キャビネット本体の前面に三面鏡を備えるミラーキャビネットに関し、詳しくは、使用者が三面鏡に向って最適の照度を効率良く調整できるミラーキャビネットに関するものである。
【背景技術】
【０００２】
従来、使用者が三面鏡を備えるミラーキャビネットを使用する際に、洗顔、化粧等の作業の種類によって最適な照度が必要であるが、ミラーキャビネットの近くに窓があったり昼夜間の差によって適切な照度が得られないという問題があった。
【０００３】
この問題を解決する方法が特許文献１に開示されている。図３に示すように、洗面化粧台２上にはミラーキャビネット４が設けられ、ミラーキャビネット４の上部には照明灯６が左右に各１個配備されている。ミラーキャビネット４には、三面鏡１２の左側に照明灯６の電源スイッチ１４が配備され、右側に照度センサ１６と、照度設定表示ランプ１８と、照度設定切り替えスイッチ２０とが配備されている。
【０００４】
照度センサ１６は、ミラーキャビネット４の前方の照度を検出するとともに、その照度に対応した照度検出信号を出力する。また、照度設定表示ランプ１８は、照度設定切り替えスイッチ２０を操作して洗顔側または化粧側に切り替えたときにそれに対応して洗顔側１８ａまたは化粧側１８ｂを点灯表示して、使用者に対して照明灯６の照度設定がどの洗面行為に対応しているかが表示できるようになっている。
【０００５】
ここで、図示しない記憶部と制御部が内蔵されており、記憶部は各洗面行為に対応してそれに必要なミラーキャビネット４の前面の照度に関するデータを記憶している。
【０００６】
いま、電源スイッチ１４をオンにして照明灯６を点灯させて、照度設定切り替えスイッチ２０によって洗顔側に切り替えられると、照度センサ１６からはミラーキャビネット４の前方の照度が例えば１２０ルクスであるという照度検出信号が制御部に与えられる。
【０００７】
次に、制御部において洗顔側に対応する必要な照度データを記憶部から読み出すが、その照度データが例えば２３０ルクスであるとすると、制御部は１１０ルクス不足していると判断して照度を上げる方向の駆動信号を駆動部に出力し、照明灯６の照度が２３０ルクスに上げられて前方の照度は洗顔に適したものとなる。
【特許文献１】特開平５−１７４９７７号公報
【発明の開示】
【発明が解決しようとする課題】
【０００８】
ところが、上記の方法によれば、適切な照度を得るために記憶部と制御部が必要なのでコストが高くなるという問題があった。また、照明灯６がミラーキャビネット４の上部に配備されているので、概ね三面鏡の上部の方が下部よりも照明度が高くなる傾向があり配置的に照度のバラツキが存在するという問題があった。
【０００９】
そこで、本発明はかかる従来技術の問題に鑑みなされたものであって、使用者がミラーキャビネットの三面鏡を使用する際に、作業の種類に合わせて安価で容易に適切な照度を得ることができるミラーキャビネットを提供することを目的とする。
【課題を解決するための手段】
【００１０】
請求項１の発明は、キャビネット本体の前面に三面鏡を備えるミラーキャビネットであって、この三面鏡の一対のサイドミラーと中央ミラーに対応してそれぞれサイド収納部と中央収納部がキャビネット本体に形成され、前記一対のサイドミラーと中央ミラー間にそれぞれ照明部が形成され、照明の強弱を調整する調光用ボリュームを備えることを特徴としている。
【００１１】
請求項２の発明は、請求項１に記載のミラーキャビネットであって、前記調光用ボリュームはどちらか一方の前記照明部に設けることを特徴としている。
【発明の効果】
【００１２】
請求項１の発明によれば、三面鏡の前記一対のサイドミラーと中央ミラー間にそれぞれ照明部が形成されるので、照明部が三面鏡の高さ方向の全域に対応してバラツキがないので作業の内容に拘らず照度が略一定するので、照明の強弱を調整する調光用ボリュームの操作だけで適切な照度を得ることができるとともに安価で操作性も向上する。
【００１３】
請求項２の発明によれば、前記調光用ボリュームはどちらか一方の前記照明部に設けるので、請求項１に記載の効果と同様の効果が得られる。
【発明を実施するための最良の形態】
【００１４】
＜本発明の実施形態＞
以下に、本発明の実施形態を図１、図２に基づいて説明する。
【００１５】
＜ミラーキャビネットの構成＞  
図１に示すように、ミラーキャビネット２１はキャビネット本体２２の前面に三面鏡２３を備え、下方前方に水栓２４と蛇口２５とボウル２６を備える洗面カウンター２７が設けられる。この三面鏡２３の一対のサイドミラー２３ａと中央ミラー２３ｂに対応してそれぞれサイド収納部２２ａと中央収納部２２ｂがキャビネット本体２２に形成される。
【００１６】
一対のサイドミラー２３ａと中央ミラー２３ｂ間にそれぞれ照明部３０が設けられ、照明部３０の高さはサイドミラー２３ａおよび中央ミラー２３ｂと略同じ高さで形成される。ここで、照明の強弱を調整する調光用ボリューム３１をミラーキャビネット２１に向かって右側の照明部３０の下方に備える。
【００１７】
より詳しくは、調光用ボリューム３１は照明部３０に内蔵されるので外部から目視できない。外部には調光用ボリューム３１を連動して左右回転する操作摘み３２と調光用ボリューム３１の左右回転位置を表示する目盛り３３とが形成される。
【００１８】
図２に示すように、照明部３０のランプ３０ａとスイッチ３０ｂと調光用ボリューム３１は直列に結線され、二組のランプは並列に結線される。調光用ボリューム３１は操作摘み３２の操作によって抵抗値が可変されるので、二組のランプ３０ａの照度が同時に同じ値で設定できる。なお、スイッチ３０ｂは図示しない操作容易な場所に取付けられる。
＜ミラーキャビネットの作用＞
【００１９】
調光用ボリューム３１は操作摘み３２の操作だけで抵抗値が可変されて照度設定できるので低コストで製作できる。さらに、三面鏡２３の一対のサイドミラー２３ａと中央ミラー２３ｂ間にそれぞれ照明部３０が形成され、照明部３０が略三面鏡２３の高さ方向の全域に対応して配置されるので高さ方向にバラツキがないので、作業の内容に拘らず調光用ボリューム３１によって照度が容易に安定して設定できる。
【００２０】
以上、本発明の実施例を図面に基づいて説明したが、具体的な構成はこの実施例に限られるものではなく本発明の要旨を逸脱しない範囲の設計変更等があっても本発明に含まれる。
【００２１】
例えば、調光用ボリューム３１は照明部３９の領域外の例えば三面鏡と洗面カウンターの中間部に設けてもよい。
【００２２】
ミラーキャビネット２１の左右からの自然光に差異がある場合には、調光用ボリューム３１を左右両側に二組備えて、左右の操作摘み３２の操作でミラーキャビネット２１の左右の照度バランスを補正することができる。この場合、二組のランプ３０ａはそれぞれ別の調光用ボリューム３１に直列に結線される。
【図面の簡単な説明】
【００２３】
【図１】本発明の実施形態におけるミラーキャビネット２１と照明部３０と調光用ボリューム３１の配置を示す斜視図である。
【図２】本発明の実施形態における照明部３０の調光用ボリューム３１を含む電気回路図である。
【図３】従来の、ミラーキャビネット４の状態を示す斜視図である。
【符号の説明】
【００２４】
２１  ミラーキャビネット
２２  キャビネット本体
２３  三面鏡
２３ａ  サイドミラー
２３ｂ  中央ミラー
３０  照明部
３１  調光用ボリューム
３２  操作摘み
３３  目盛り
【図１】
2009028254.tif 000003
【図２】
2009028254.tif 000004
【図３】
2009028254.tif 000005